(57)【要約】【課題】レンズ鏡筒の部品点数および製造工数を低減する。【解決手段】レンズ鏡筒であって、光学部材を有する光学組立体と、光学部材の光軸と平行な光軸方向に光学組立体を挟んで保持する第一の組立体および第二の組立体と、第一の組立体に一端を結合され、第二の組立体に他端を結合され、光軸に向かって屈曲するフレキシブル基板とを備え、第一の組立体は、第二の組立体に向かって延在する延在部を有し、第二の組立体は、第一の組立体に向かって延在する延在部を有し、延在部は、フレキシブル基板が光軸から遠ざかる方向に屈曲することを規制する。【選択図】図５
2014164040.tif 000002
【特許請求の範囲】
【請求項１】
光学部材を有する光学組立体と、
前記光学部材の光軸と平行な方向に前記光学組立体を挟んで保持する第一の組立体および第二の組立体と、
前記第一の組立体に一端を結合され、前記第二の組立体に他端を結合されたフレキシブル基板と
を備え、
前記第一の組立体は、前記第二の組立体に向かって延在する第一の延在部を有し、
前記第二の組立体は、前記第一の組立体に向かって延在する第二の延在部を有し、
前記第一の延在部および前記第二の延在部は、前記フレキシブル基板が前記光軸から遠ざかる方向に屈曲することを規制するレンズ鏡筒。
【請求項２】
前記第一の延在部および前記第二の延在部の一方は、前記一方に前記光学組立体が隣接した状態で、前記第一の組立体および前記第二の組立体の他方に向かって突出する突出量を有する請求項１に記載のレンズ鏡筒。
【請求項３】
前記第一の組立体は、前記フレキシブル基板に電気的に接続され、前記第二の組立体側に前記光軸方向と平行に突出した第一の電気素子を有し、
前記第二の組立体は、前記フレキシブル基板に電気的に接続され、前記第一の組立体側に前記光軸方向と平行に突出した第二の電気素子を有し、
前記第一の電気素子および前記第二の電気素子は、前記光軸を周回する周回方向に並んで配される請求項１または請求項２に記載のレンズ鏡筒。
【請求項４】
前記フレキシブル基板は、前記周回方向について、前記第一の電気素子および前記第二の電気素子の間に配される請求項３に記載のレンズ鏡筒。
【請求項５】
前記第一の組立体、前記第二の組立体および前記光学組立体のいずれかは、前記光軸と直交する方向について、前記光学部材および前記フレキシブル基板の間に介在して前記光学部材を前記フレキシブル基板の接触から保護する保護部を更に有する請求項１から請求項４までのいずれか一項に記載のレンズ鏡筒。
【請求項６】
前記第一の組立体および前記第二の組立体のいずれか一方は、前記光学部材を透過する光束を遮断するシャッタユニットを有する請求項１から請求項５までのいずれか一項に記載のレンズ鏡筒。
【請求項７】
前記第一の組立体および前記第二の組立体のいずれか一方は、前記光学部材を透過する光束の径を変化させる光彩絞りユニットを有する請求項１から請求項６までのいずれか一項に記載のレンズ鏡筒。
【請求項８】
前記第一の組立体および前記第二の組立体のいずれか一方は、前記光学部材を透過する光束の一部を遮断するフィルタユニットを有する請求項１から請求項７までのいずれか一項に記載のレンズ鏡筒。
【請求項９】
前記第一の組立体および前記第二の組立体のいずれか一方は、前記フレキシブル基板を通じて供給された電力により駆動されて、前記光軸と直交する方向に前記光軸から退避する光学部材を有する請求項１から請求項８までのいずれか一項に記載のレンズ鏡筒。
【請求項１０】
請求項１から請求項９までのいずれか一項に記載のレンズ鏡筒を備えた撮像装置。
【請求項１１】
互いに対向させた場合に他方に向かって延在する延在部をそれぞれが有する第一の組立体および第二の組立体を準備する段階と、
互いに対向して離間する前記第一の組立体および前記第二の組立体をフレキシブル基板により連結する段階と、
前記第一の組立体および前記第二の組立体の間に光学部材を有する光学組立体を配する段階と、
前記フレキシブル基板が前記光学部材の光軸から遠ざかることを、前記第一の組立体の前記延在部と前記第二の組立体の延在部とにより規制しつつ、前記第一の組立体および前記第二の組立体を互いに接近させて、前記第一の組立体および前記第二の組立体により前記光学部材を挟む段階と
を含むレンズ鏡筒の製造方法。
【発明の詳細な説明】
【技術分野】
【０００１】
本発明は、レンズ鏡筒およびレンズ鏡筒の製造方法に関する。
【背景技術】
【０００２】
レンズの光軸方向に配列された複数の部材を結合するフレキシブル基板を備えたレンズ鏡筒がある（特許文献１参照）。
［特許文献１］  特開２０１２−０４２５６１号公報
【発明の概要】
【発明が解決しようとする課題】
【０００３】
製造段階では分離されている部材をフレキシブル基板により結合する場合にコネクタを用いると、部品点数および部品コストが増加して生産性向上の妨げとなる。
【課題を解決するための手段】
【０００４】
本発明の第一態様においては、光学部材を有する光学組立体と、光学部材の光軸と平行な光軸方向に光学組立体を挟んで保持する第一の組立体および第二の組立体と、第一の組立体に一端を結合され、第二の組立体に他端を結合され、光軸に向かって屈曲するフレキシブル基板とを備え、第一の組立体は、第二の組立体に向かって延在する延在部を有し、第二の組立体は、第一の組立体に向かって延在する延在部を有し、延在部は、フレキシブル基板が光軸から遠ざかる方向に屈曲することを規制するレンズ鏡筒が提供される。本発明の第二態様においては、上記レンズ鏡筒を備えた撮像装置が提供される。
【０００５】
本発明の第二態様においては、互いに対向させた場合に他方に向かって延在する延在部をそれぞれが有する第一の組立体および第二の組立体を準備する段階と、互いに対向して離間する第一の組立体および第二の組立体をフレキシブル基板により連結する段階と、第一の組立体および第二の組立体の間に光学部材を有する光学組立体を配する段階と、フレキシブル基板が光学部材の光軸から遠ざかることを延在部により規制しつつ、第一の組立体および第二の組立体を互いに接近させて、第一の組立体および第二の組立体により光学部材を挟む段階とを含むレンズ鏡筒の製造方法が提供される。
【０００６】
上記した発明の概要は、本発明の必要な特徴の全てを列挙したものではない。これら特徴群のサブコンビネーションも発明となり得る。
【図面の簡単な説明】
【０００７】
【図１】撮像装置１００の模式的断面図である。
【図２】絞りユニット２１０およびシャッタユニット２３０の斜視図である。
【図３】第二レンズ群組立体２００の製造過程を示す図である。
【図４】第二レンズ群組立体２００の製造過程を示す図である。
【図５】第二レンズ群組立体２００の製造過程を示す図である。
【図６】絞りユニット２１０およびシャッタユニット２３０の斜視図である。
【図７】絞りユニット２１０およびシャッタユニット２３０の側面図である。
【発明を実施するための形態】
【０００８】
以下、発明の実施の形態を通じて本発明を説明する。下記の実施形態は特許請求の範囲に係る発明を限定するものではない。実施形態の中で説明されている特徴の組み合わせの全てが発明の解決手段に必須であるとは限らない。
【０００９】
図１は、撮像装置１００の模式的断面図である。撮像装置１００は、撮像素子１０１およびレンズ鏡筒２０１を備える。なお、以降の説明においては、撮像装置１００に対して被写体に近い側を前または先、被写体から遠い側を後と記載する。
【００１０】
撮像素子１０１は、センサベース１０２に支持されて、撮像装置１００の後端付近に固定される。撮像素子１０１は、レンズ鏡筒２０１を通じて入射した被写体光束を電気信号に変換して、撮像装置１００の背面に設けられた基板１０３上の回路に出力する。
【００１１】
レンズ鏡筒２０１は、第一レンズ群１１１、第二レンズ群２２１および第三レンズ群１２１と、固定筒１４０、回転筒１５０および直進筒１６０とを有する。第一レンズ群１１１、第二レンズ群２２１および第三レンズ群１２１は、共通の光軸Ｘに沿って配列され、レンズ鏡筒２０１の光学系を形成する。
【００１２】
第一レンズ群１１１は、第一レンズ室１１２を介して、先筒１７０の先端に保持される。先筒１７０は、直進筒１６０の直進案内溝に係合して回転を規制されつつ、後端近傍に設けられたカムピン１７２を通じて回転筒１５０に駆動される。これにより、先筒１７０は、第一レンズ群１１１を光軸Ｘに沿って進退させる。
【００１３】
第二レンズ群２２１は、第二レンズ室２２２に保持されて、第二レンズ群組立体２００の一部をなす。第二レンズ群組立体２００は、図示の断面に現れないカムピンを外周面に有する。当該カムピンは、直進筒１６０により回転を規制されつつ、回転筒１５０から駆動力を受けて、第二レンズ群組立体２００を光軸Ｘに沿って進退させる。
【００１４】
第二レンズ群組立体２００は、絞りユニット２１０、防振ユニット２２０およびシャッタユニット２３０を有する。第二レンズ群組立体２００において、絞りユニット２１０は、枠体２１２および絞り羽根２１４を有する。枠体２１２は、光軸Ｘの周囲に円形の開口部２１９を有する。絞り羽根２１４は、開口部２１９の内側に向かって進退することにより、光学的に有効になる開口部２１９の径を変化させる虹彩絞りを形成する。また、枠体２１２の図中上端には、光軸Ｘと平行に延在する規制板２１８が配される。
【００１５】
第二レンズ群組立体２００において、防振ユニット２２０は、枠体２２４を有する。枠体２２４は、第二レンズ群２２１を保持する第二レンズ室２２２を、光軸Ｘに対して変位自在に支持する。これにより、第二レンズ群２２１は、レンズ鏡筒２０１における被写体光束の光路を変位させて像ぶれを補正する。
【００１６】
なお、防振ユニット２２０において、枠体２２４は、第二レンズ室２２２を包囲して光軸Ｘ方向に延在する保護部２２３を有する。これにより、変位した第二レンズ室２２２が他の部材と接触することが防止される。
【００１７】
第二レンズ群組立体２００において、シャッタユニット２３０は、枠体２３２、シャッタ羽根２３４、減光フィルタ２３６を有する。枠体２３２は、光軸Ｘの周囲に円形の開口部２３９を有する。シャッタ羽根２３４は、開口部２３９の内側に向かって進退することにより、開口部２３９を閉鎖または開放する。これにより、レンズ鏡筒２０１を通じて入射した被写体光束に撮像素子１０１を露光できる。
【００１８】
なお、シャッタユニット２３０においては、減光フィルタ２３６に換えて、または、減光フィルタ２３６に加えて、被写体光束の光路に対して進退する他の光学部材、例えば、偏光フィルタ、マイクロレンズ等を装備してもよい。更に、絞りユニット２１０またはシャッタユニット２３０に、レンズ鏡筒２０１が沈胴する場合に光軸Ｘ上から対比するスライドレンズを設けてもよい。
【００１９】
シャッタユニット２３０において、減光フィルタ２３６は、開口部２３９の内側に向かって進退することにより、開口部２３９を閉鎖または開放する。これにより、開口部２３９を通じて撮像素子１０１に到達する被写体光束の光量を抑制できる。
【００２０】
更に、第二レンズ群組立体２００は、フレキシブル基板２４０を有する。フレキシブル基板２４０は、撮像装置１００の底部側において固定筒１４０の外側に固定された接続部からレンズ鏡筒２０１内に引き込まれ、後ろ側から第二レンズ群組立体２００に引き入れられる。接続部２４２と第二レンズ群組立体２００との間で、フレキシブル基板２４０には弛みが設けられる。これにより、フレキシブル基板２４０は、第二レンズ群組立体２００の移動に追従して屈伸する。
【００２１】
第二レンズ群組立体２００に結合されたフレキシブル基板２４０は、枠体２３２に沿ってシャッタユニット２３０内を通り、第二レンズ群組立体２００の図中上側で、絞りユニット２１０の枠体２１２に結合される。これにより、絞りユニット２１０およびシャッタユニット２３０は、共通のフレキシブル基板２４０を通じて、レンズ鏡筒２０１の外部と電気的に接続できる。なお、第二レンズ群組立体２００の防振ユニット２２０には、図示の断面には現れない他のフレキシブル基板が結合される。
【００２２】
レンズ鏡筒２０１において、第三レンズ群１２１は、第三レンズ室１２２に保持される。第三レンズ室１２２は、図示の断面に現れないナットを通じて、駆動部１２４に駆動される。これにより、第三レンズ群１２１は、光軸Ｘに沿って単独で前後に移動する。これにより、第三レンズ群１２１は、レンズ鏡筒２０１の光学系の焦点位置を光軸Ｘに沿って移動させる。
【００２３】
レンズ鏡筒２０１において、固定筒１４０は、センサベース１０２に対して固定される。固定筒１４０の内面には、回転筒１５０の後端近傍に設けられたカムピン１５２と係合するカム溝を内面に有する。
【００２４】
回転筒１５０は、固定筒１４０の内側に配され、レンズ鏡筒２０１の径方向外側に向かって突出するカムピン１５２を後端近傍に有する。カムピン１５２は、固定筒１４０のカム溝に係合する。これにより、外部から回転駆動された場合に、回転筒１５０は、カムピン１５２を通じて受けた駆動力により光軸Ｘ方向に進退する。
【００２５】
また、回転筒１５０は、内面に複数のカム溝を有する。カム溝のひとつは、先筒１７０の後端付近に設けられたカムピン１７２と係合して、先筒１７０を駆動する。回転筒１５０における他のカム溝は、第二レンズ室２２２を含む第二レンズ群組立体２００に設けられたカムピンと係合して、第二レンズ群組立体２００全体を駆動する。
【００２６】
直進筒１６０は、固定筒１４０に係合して、光軸Ｘ周りの回転が規制される。また、直進筒１６０は、先筒１７０に係合して、先筒１７０の光軸Ｘ周りの回転を規制する。更に、直進筒１６０は、回転筒１５０に対して回転自在に係合し、光軸Ｘに沿って移動する回転筒１５０に連れ従って光軸Ｘ方向に移動する。
【００２７】
上記のような構造を有する撮像装置１００においては、第一レンズ群１１１および第二レンズ群２２１は、相互に関連して光軸Ｘ方向に進退移動することにより、レンズ鏡筒２０１の光学系の倍率を変化させる。また、第三レンズ群１２１は、光軸Ｘ方向に移動することにより、レンズ鏡筒２０１の光学系が形成する被写体像を、撮像素子１０１の撮像面に合焦させる。
【００２８】
図２は、第二レンズ群組立体２００を形成する絞りユニット２１０およびシャッタユニット２３０の斜視図である。絞りユニット２１０およびシャッタユニット２３０は、それぞれ個別に組み立てた状態で供給される。
【００２９】
絞りユニット２１０は、枠体２１２においてシャッタユニット２３０に対向する面に、アクチュエータ２１５および規制板２１８を有する。アクチュエータ２１５は、例えばステッピングモータであり、絞り羽根２１４を駆動して開口部２１９を開閉する。絞りユニット２１０に結合されるフレキシブル基板２４０は、アクチュエータ２１５に対する電力および制御信号の供給を担う。規制板２１８は、枠体２１２の外縁部から、シャッタユニット２３０に向かって、光軸Ｘと平行に突出する。
【００３０】
シャッタユニット２３０は、枠体２３２において絞りユニット２１０に対向する面に、アクチュエータ２３５、２３７および規制板２３８を有する。アクチュエータ２３５、２３７は、例えばステッピングモータであり、シャッタ羽根２３４および減光フィルタ２３６を駆動して開口部２１９を開閉する。シャッタユニット２３０に結合されるフレキシブル基板２４０は、アクチュエータ２３５、２３７に対する電力の供給を担う。規制板２３８は、枠体２３２の外縁部から、絞りユニット２１０に向かって光軸Ｘと平行に突出する。
【００３１】
本実施例において、絞りユニット２１０およびシャッタユニット２３０を併せてみると、アクチュエータ２１５、２３５、２３７は、枠体２１２、２３２の周方向について、互いに異なる位置に配される。また、規制板２１８、２３８は、互いに対向する位置に配されると共に、枠体２１２、２３２の周方向について、アクチュエータ２１５、２３５、２３７のいずれとも異なる位置に配される。更に、枠体２１２、２３２の周方向について、規制板２１８、２３８は、いずれか一対のアクチュエータ２１５、２３５、２３７の間に配される。
【００３２】
図３は、レンズ鏡筒２０１に組み込む前に組み立てられる第二レンズ群組立体２００の製造過程を示す模式的断面図である。第二レンズ群組立体２００を組み立てる場合は、まず、絞りユニット２１０とシャッタユニット２３０とがフレキシブル基板２４０により結合される。
【００３３】
絞りユニット２１０においては、フレキシブル基板２４０の一端に設けられた固定部２４８が、枠体２１２の後面、即ち、シャッタユニット２３０に対向する面に固定される。固定部２４８の枠体２１２に対する固定は、両面テープ等の接着剤を用いてもよいし、枠体２１２に設けたボス、クリップ等に嵌め込んでもよい。更に、枠体２１２に取り付けるアクチュエータ２１５等の部材により固定部２４８を押さえてもよい。
【００３４】
また、枠体２１２に対して固定するアクチュエータ２１５等の電気部品に電気的に接続することによりフレキシブル基板２４０の固定部２４８を固定してもよい。ここで、電気的な接続とは、コネクタ、ソケット等の電気部品を用いた接続の他、はんだ付け、圧着等も含む。
【００３５】
固定部２４８を枠体２１２に固定されたフレキシブル基板２４０は、レンズ鏡筒２０１の径方向に外側に向かって延在し、やがて、規制板２３８に沿って曲がる。これにより、フレキシブル基板２４０は、光軸Ｘと平行に、シャッタユニット２３０に向かって延在する。なお、固定部２４８において枠体２１２に対して固定されたフレキシブル基板２４０は、フレキシブル基板２４０自体の弾性により、規制板２１８に寄り添う。よって、フレキシブル基板２４０の固定部２４８以外の部分は、枠体２１２に対して接着しなくてもよい。
【００３６】
次いで、既に固定された固定部２４８と接続部２４２との中間に設けられた他の固定部２４４において、フレキシブル基板２４０をシャッタユニット２３０の枠体２３２に固定する。絞りユニット２１０から光軸Ｘと平行にシャッタユニット２３０に向かって延在するフレキシブル基板２４０は、シャッタユニット２３０側の規制板２３８に沿って伸び、やがて、枠体２３２に当接して、枠体２３２の径方向に向きを変える。そこで、枠体２３２において絞りユニット２１０に対向する面に、フレキシブル基板２４０の固定部２４４が固定される。
【００３７】
シャッタユニット２３０においても、固定部２４４の固定は、両面テープ等の接着剤を用いてもよいし、枠体２３２に設けたボス、クリップ等に嵌め込んでもよい。更に、枠体２３２に取り付けるアクチュエータ２３５、２３７等の部材により固定部２４４を押さえてもよい。また、固定部２４４において枠体２３２に対して固定されたフレキシブル基板２４０は、フレキシブル基板２４０自体の弾性により、規制板２３８に押しつけられる。よって、フレキシブル基板２４０の固定部２４４以外の部分を、枠体２３２に対して接着しなくてもよい。
【００３８】
また、枠体２１２に対して固定するアクチュエータ２３５、２３７等の電気部品に電気的に接続することにより固定部２４４を固定してもよい。電気的な接続が、コネクタ、ソケット等の電気部品を用いた接続の他、はんだ付け、圧着等も含むことは、絞りユニット２１０の場合と同様である。
【００３９】
なお、図３に示した段階においては、絞りユニット２１０とシャッタユニット２３０は互いに離間している。このため、絞りユニット２１０側の規制板２１８と、シャッタユニット２３０側の規制板２３８との間に、いずれの規制板２１８、２３８にも接することなく、光軸Ｘと平行に延在する余長部２４６が設けられている。これにより、絞りユニット２１０およびシャッタユニット２３０をフレキシブル基板２４０により接続した後も、例えば、絞りユニット２１０と互いに嵌まり合う防振ユニット２２０を、絞りユニット２１０およびシャッタユニット２３０の間に組み込むことができる。
【００４０】
図４は、第二レンズ群組立体２００の他の製造過程を示す模式的断面図であり、防振ユニット２２０が絞りユニット２１０に対して組み付けられた状態を示す。これにより、絞りユニット２１０の一部が、防振ユニット２２０に嵌まり込んでいる。
【００４１】
ここで、枠体２１２、２３２をそれぞれ単体でみた場合、絞りユニット２１０側の規制板２１８の突出量は、シャッタユニット２３０側の規制板２３８の突出量よりも長い。これにより、図中上側において、防振ユニット２２０の枠体２２４が絞りユニット２１０の枠体２１２に重なっても、絞りユニット２１０の規制板２１８は、防振ユニット２２０の枠体２２４からも突出する。
【００４２】
よって、防振ユニット２２０を組み付けた状態であっても、絞りユニット２１０の規制板２１８は、シャッタユニット２３０の規制板２３８と略同じ突出量を有する。これにより、仮に、防振ユニット２２０の枠体２２４がフレキシブル基板２４０の余長部２４６を内側から押すことがあっても、フレキシブル基板２４０が枠体２１２の外側に拡がることが防止される。
【００４３】
なお、図示の例では、防振ユニット２２０をまず絞りユニット２１０に組み付けたので、絞りユニット２１０側の規制板２１８の突出量を、シャッタユニット２３０側の規制板２３８の突出量よりも長くした。しかしながら、防振ユニット２２０を先にシャッタユニット２３０に組み付ける手順とする場合は、シャッタユニット２３０側の規制板２３８の突出量をより長くすることが好ましい。
【００４４】
図５は、第二レンズ群組立体２００の他の製造過程を示す模式的断面図であり、防振ユニット２２０を挟む絞りユニット２１０およびシャッタユニット２３０が互いに接合された状態を示す。これにより、防振ユニット２２０は、絞りユニット２１０およびシャッタユニット２３０に挟まれて三者が一体となり、第二レンズ群組立体２００が完成する。
【００４５】
互いに接合される絞りユニット２１０およびシャッタユニット２３０が接近した場合、フレキシブル基板２４０の余長部２４６は、枠体２１２、２３２の間で弛む。ここで、第二レンズ群組立体２００の径方向について外側は、規制板２１８、２３８が余長部２４６の変位を規制している。よって、絞りユニット２１０およびシャッタユニット２３０を接近させる過程で、フレキシブル基板２４０の余長部２４６が枠体２１２、２３２の径方向外側に拡がることが抑制される。
【００４６】
これにより、絞りユニット２１０およびシャッタユニット２３０を接近させて接合する作業においては、作業者が保持しなくても、また、フレキシブル基板２４０に曲げ癖をつける等しなくても、規制板２１８、２３８により余長部２４６は自律的に、枠体２１２、２３２に挟まれた領域に収容される。よって、第二レンズ群組立体２００の生産性、ひいては、レンズ鏡筒２０１の生産性を向上させることができる。
【００４７】
また、接近した絞りユニット２１０およびシャッタユニット２３０の間で、フレキシブル基板２４０の余長部２４６が規制板２１８、２３８から離間して、第二レンズ群組立体２００の径方向内側に向かって変位した場合は、防振ユニット２２０の枠体２２４における保護部２２３がフレキシブル基板２４０の変位を規制する。よって、フレキシブル基板２４０が、防振動作をする第二レンズ室２２２に接触することは未然に防止される。
【００４８】
図６は、互いに接合された絞りユニット２１０およびシャッタユニット２３０の斜視図である。図示のように、絞りユニット２１０およびシャッタユニット２３０が接合された場合は、規制板２１８、２３８が互いに接近して、フレキシブル基板２４０が外側に拡がることを防止する。ここで、規制板２１８、２３８の先端は、互いに当接していなくてもよく、フレキシブル基板２４０の拡がりを規制できれば間隙が生じていてもよい。
【００４９】
なお、枠体２１２、２３２の周方向に係る規制板２１８、２３８は、フレキシブル基板２４０の余長部２４６の幅よりも狭い幅を有していても、フレキシブル基板２４０の拡がりを防止できる。しかしながら、規制板２１８、２３８の幅をフレキシブル基板２４０の幅と同じかより広くすることにより、規制板２１８、２３８によりフレキシブル基板２４０を外部からの擦過等に対して保護できる。
【００５０】
図７は、図６に示した組立体を、図６に矢印Ａで示す方向から見た側面図である。図示のように、互いに接合された絞りユニット２１０およびシャッタユニット２３０においては、それぞれの枠体２１２、２３２から突出したアクチュエータ２１５、２３５、２３７が、枠体２１２、２３２の周方向についてずれた位置に配されている。これにより、複数のアクチュエータ２１５、２３５、２３７を搭載した場合であっても、第二レンズ群組立体２００の光軸Ｘ方向の厚さの増加を抑制できる。
【００５１】
また、規制板２１８、２３８により径方向の拡がりを規制されたフレキシブル基板２４０の余長部２４６は、一対のアクチュエータ２１５、２３５の間に配されている。よって、枠体２１２、２３２の周方向についても、余長部２４６の変位がアクチュエータ２１５、２３５により規制される。
【００５２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５３】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５４】
１００  撮像装置、１０１  撮像素子、１０２  センサベース、１０３  基板、１１１  第一レンズ群、１１２  第一レンズ室、１２１  第三レンズ群、１２２  第三レンズ室、１２４  駆動部、１４０  固定筒、１５０  回転筒、１５２、１７２  カムピン、１６０  直進筒、１７０  先筒、２００  第二レンズ群組立体、２０１  レンズ鏡筒、２１０  絞りユニット、２１２、２２４、２３２  枠体、２１４  絞り羽根、２１５、２３５、２３７  アクチュエータ、２１８、２３８  規制板、２１９、２３９  開口部、２２０  防振ユニット、２２１  第二レンズ群、２２２  第二レンズ室、２２３  保護部、２３０  シャッタユニット、２３４  シャッタ羽根、２３６  減光フィルタ、２４０  フレキシブル基板、２４２  接続部、２４４、２４８  固定部、２４６  余長部
【図１】
2014164040.tif 000003
【図２】
2014164040.tif 000004
【図３】
2014164040.tif 000005
【図４】
2014164040.tif 000006
【図５】
2014164040.tif 000007
【図６】
2014164040.tif 000008
【図７】
2014164040.tif 000009